(57)【要約】【課題】観察光軸とクロスする付近に焦準ハンドルが配置されても標本を透過照明して透過照明観察を行うこと。【解決手段】透過照明装置１０をステージ１１と焦準台８との間に着脱可能に設けた。【選択図】図１
2006189578.tif 000002
【特許請求の範囲】
【請求項１】
標本を載置するステージと、前記ステージを観察光軸方向に移動させる焦準台との間に着脱可能に設けられ、前記標本に対して透過照明光を照射することを特徴とする顕微鏡の透過照明装置。
【請求項２】
前記ステージと前記焦準台との間に着脱可能なベース本体と、
前記ベース本体に設けられ、光束を出射する出射源と、
前記ベース本体に設けられ、前記出射源から出射された前記光束を前記観察光軸に沿って出射して透過照明光として前記標本を照明する投光・集光光学系と、
を有することを特徴とする請求項１記載の顕微鏡の透過照明装置。
【請求項３】
前記出射源は、前記観察光軸外に設けられ、
前記投光・集光光学系は、前記出射源から出射された前記光束の向きを変えて前記観察光軸に導く光学素子を有する、
ことを特徴とする請求項２記載の顕微鏡の透過照明装置。
【請求項４】
前記出射源は、前記顕微鏡の外部に設けられた光源装置から出力される前記光束を導くライトガイドの出射端である、
ことを特徴とする請求項２又は３記載の顕微鏡の透過照明装置。
【請求項５】
前記ライトガイドの前記出射端を前記ベース本体に対して取り付け、取り外し可能とするライトガイド取付部を有する、
ことを特徴とする請求項４記載の顕微鏡の透過照明装置。
【請求項６】
前記ライトガイド取付部は、前記ベース本体の側面に設けられたことを特徴とする請求項５記載の顕微鏡の透過照明装置。
【請求項７】
前記投光・集光光学系は、前記出射源から出射された前記光束を投光する投光レンズと、
前記投光レンズにより投光された前記光束の向きを変えて前記観察光軸に導くミラーと、
前記ミラーにより向きを変えられた前記光束を前記透過照明光として前記標本に集光する集光レンズと、
を有することを特徴とする請求項２記載の顕微鏡の透過照明装置。
【請求項８】
前記出射源は、前記観察光軸上に設けられたことを特徴とする請求項２記載の顕微鏡の透過照明装置。
【請求項９】
前記出射源は、前記顕微鏡の外部に設けられた光源装置から出力される前記光束を導くライトガイドの出射端であり、
前記ライトガイドの前記出射端は、前記観察光軸上に設けられた、
ことを特徴とする請求項２記載の顕微鏡の透過照明装置。
【請求項１０】
前記出射源は、前記光束を出射する発光素子を有することを特徴とする請求項８記載の顕微鏡の透過照明装置。
【請求項１１】
前記発光素子は、発光ダイオードであることを特徴とする請求項１０記載の顕微鏡の透過照明装置。
【請求項１２】
前記ベース本体内に設けられ、前記発光ダイオードを点灯する電装部を有することを特徴とする請求項１１記載の顕微鏡の透過照明装置。
【請求項１３】
前記電装部は、前記発光ダイオードから出射される前記光束の光量を調光する調光手段を有することを特徴とする請求項１２記載の顕微鏡の透過照明装置。
【請求項１４】
標本を載置するステージと、
前記ステージを観察光軸方向に移動させる焦準台と、
顕微鏡の本体内に設けられ、前記顕微鏡本体の外部から入射する光束を導く中継用ライトガイドと、
前記中継用ライトガイドにより導かれた前記光束を前記観察光軸上に投光するライトガイド投光部と、
前記ステージと前記焦準台との間に着脱可能に設けられ、前記ライトガイド投光部により投光された前記光束を前記標本に透過照明光として照射する照射部材と、
を有することを特徴とする顕微鏡の透過照明装置。
【請求項１５】
前記照射部材は、前記光束を前記透過照明光として前記標本に照射する集光光学系を有することを特徴とする請求項１４記載の顕微鏡の透過照明装置。
【請求項１６】
前記ライトガイド投光部は、前記中継用ライトガイドの前記出射端の軸を前記観察光軸上に一致させて前記顕微鏡本体内に支持する支持部材を有する、
ことを特徴とする請求項１４記載の顕微鏡の透過照明装置。
【請求項１７】
前記中継用ライトガイドの入射端には、前記顕微鏡の外部から前記光束を導くライトガイドを取り付け、取り外し可能とし、かつ前記ライトガイドからの前記光束を入射する入射端が設けられ、
当該入射端は、前記顕微鏡本体に設けられた、
ことを特徴とする請求項１４記載の顕微鏡の透過照明装置。
【請求項１８】
標本を載置するステージと、前記ステージを観察光軸方向に移動させる焦準台とを有する顕微鏡において、
前記ステージと前記焦準台との間に着脱可能に設けられ、前記標本に対して前記透過照明光を照射する請求項１乃至１５のうちいずれか１項記載の前記透過照明装置と、
前記ステージと前記焦準台との間に着脱可能に設けられる中間部材と、
を具備し、
前記透過照明装置は、前記標本を透過照明観察するときに前記ステージと前記焦準台との間に設けられ、
前記中間部材は、前記標本に対する前記透過照明観察を行わず、かつ前記ステージの高さ位置を可変するときに前記ステージと前記焦準台との間に設けられる、
ことを特徴とする顕微鏡。
【請求項１９】
標本を載置するステージと、前記ステージを観察光軸方向に移動させる焦準台とを有する顕微鏡において、
請求項１４乃至１７のうちいずれか１項記載の前記透過照明装置を備え、
前記中間部材を、前記ステージの高さ位置を可変するときに前記ステージと前記焦準台との間に取り付け、取り外しを行うことで変更され、
前記中間部材は、前記標本に対する前記透過照明観察を行わず、かつ前記ステージの高さ位置を可変するときに前記ステージと前記焦準台との間に設けられる、
とを特徴とする顕微鏡。
【発明の詳細な説明】
【技術分野】
【０００１】
本発明は、例えば落射照明装置を有する顕微鏡に対して取り付け、取り外し可能に設けられ、標本を透過照明する顕微鏡の透過照明装置及びこれを用いた顕微鏡に関する。
【背景技術】
【０００２】
例えば特許文献１には、落射照明装置を備えた顕微鏡本体に、透過照明投光装置を後付けユニットとして付加することが開示されている。この透過照明投光装置は、透過照明光を投光するための投光部を有する。又、顕微鏡本体には、透過照明投光装置により投光された透過照明光を標本に照射する照射部を備える。これら投光部と照射部とは、それぞれ別々のユニットに構成されている。
【０００３】
投光部は、顕微鏡本体のベース側面に対して着脱自在に設けられている。この投光部は、透過照明光を導くライトガイドを取付けるためのアダプタ枠と、このアダプタ枠に取り付けられたライトガイドにより導かれた透過照明光を導入するための透過照明光学系として各光学素子（第１のレンズ群）と、これら光学素子より導入された透過照明光の向きを変えて対物レンズを配置する観察光軸上に折り返す折り曲げミラーとから構成されている。
【０００４】
照射部は、標本を載置するステージとこのステージを上下動させるための焦準台との間に着脱自在に設けられている。この照射部は、標本に透過照明光を照射するための各光学素子（第２のレンズ群）を内蔵する。
【０００５】
このような顕微鏡であれば、光源から放射された透過照明光は、ライトガイドにより挿入部に導かれ、第１のレンズ群によって投光部内に導入される。この導入された透過照明光は、折り曲げミラーによって観察光軸上に向きを変えられ、第２のレンズ群を通過して標本に照射される。
【特許文献１】特開２００１−３３７０６号公報
【発明の開示】
【発明が解決しようとする課題】
【０００６】
顕微鏡の焦準ハンドルは、標本面へのピント合わせ及び標本を交換したときステージの退避等の際に操作されるので、その操作頻度が比較的に高い。従って、焦準ハンドルは、オペレータにより快適に操作できるように最適な位置に設ける必要がある。例えば、この焦準ハンドルの位置は、操作を行うであろう想定されたオペレータの体格、顕微鏡本体の大きさ、アイポイント位置、ステージの操作ハンドル位置などを総合的に考慮して決定される。これにより、焦準ハンドルは、観察光軸とクロスする付近に配置されることもある。
【０００７】
特許文献１に開示されている透過照明投光装置では、投光部を顕微鏡本体のベース側面に対して着脱自在に設けるために、顕微鏡本体のベース側面にライトガイドを取付けるためのアダプタ枠を設けている。このため、顕微鏡本体のベース側面及びベース内部の観察光軸付近には、投光部を納めるスペースが必要となる。
【０００８】
ところが、操作上の観点から観察光軸とクロスする付近に焦準ハンドルを配置しなければならない場合、焦準ハンドルとその伝達機構部が上述した投光部を納めるスペースを占領してしまう。このため、上記透過照明投光装置では、透過照明に対応することができない。
【課題を解決するための手段】
【０００９】
本発明は、標本を載置するステージとステージを観察光軸方向に移動させる焦準台との間に着脱可能に設けられ、標本に対して透過照明光を照射する顕微鏡の透過照明装置である。
【００１０】
本発明は、標本を載置するステージと、ステージを観察光軸方向に移動させる焦準台とを有する顕微鏡において、ステージと焦準台との間に着脱可能に設けられ、標本に対して透過照明光を照射する透過照明装置と、ステージと焦準台との間に着脱可能に設けられる中間部材とを具備し、透過照明装置は、標本を透過照明観察するときにステージと焦準台との間に設けられ、中間部材は、標本に対する透過照明観察を行わず、かつステージの高さ位置を可変するときにステージと焦準台との間に設けられる顕微鏡である。
【発明の効果】
【００１１】
本発明は、観察光軸とクロスする付近に焦準ハンドルが配置されても標本を透過照明して透過照明観察を行うことができる顕微鏡の透過照明装置及びこれを用いた顕微鏡を提供できる。
【発明を実施するための最良の形態】
【００１２】
以下、本発明の第１の実施の形態について図面を参照して説明する。
【００１３】
図１は顕微鏡の構成図を示す。顕微鏡本体１の本体枠２には、焦準ハンドル軸３が設けられている。この焦準ハンドル軸３の左右両側には、図２の一部正面図に示すようにそれぞれ焦準ハンドル４が設けられている。この焦準ハンドル軸３は、ベース部に固定された枠５内で回転摺動可能に保持されている。
【００１４】
この焦準ハンドル軸３の外周には、ピニオン６が形成され、このピニオン６にラック７が噛み合っている。このラック７は、焦準台８に取り付けられている。この焦準台８は、本体枠２に固定されたガイド９によって観察光軸Ｌ１方向に移動可能に保持されている。この焦準台８の上面には後術する透過照明装置１０が取付けられている。この透過照明装置１０の上部には、ステージ１１が組付けられている。
【００１５】
従って、焦準ハンドル４を操作すると枠５内で焦準ハンドル軸３が回転する。この焦準ハンドル軸３の回転に連動するピニオン６の回転がラック７に伝達されるので、このラック７には、観察光軸Ｌ１方向に働く動カが与えられる。これにより、焦準台８は、ガイド９に沿って観察光軸Ｌ１方向に移動する。これと共に焦準台８に組付けられた透過照明装置１０及びステージ１１は、焦準台８と共に観察光軸Ｌ１方向に移動する。
【００１６】
顕微鏡本体１の上側には、落射投光装置１２が装着されている。この落射投光装置１２の背面側には、落射照明用の光源１３が取付けられている。この光源１３は、落射照明光１４を出射する。この光源１３から出射される落射照明光１４の光軸Ｌ２上には、光学部材１５及びハーフミラー１６が設けられている。このハーフミラー１６の下方への反射光路は、観察光軸Ｌ１に一致する。
【００１７】
落射投光装置１２の下面には、レボルバ１７が回転可能に設けられている。このレボルバ１７には、複数の対物レンズ１８が取り付けられている。このレボルバ１７は、回転することによって各対物レンズ１８のうち標本１９の観察に応じた倍率の対物レンズ１８を観察光軸Ｌ１上に配置する。
【００１８】
落射投光装置１２の上面における観察光軸Ｌ１上には、鏡筒部２０が設けられている。この鏡筒部２０には、接眼レンズ２１が取り付けられている。
【００１９】
従って、光源１３から落射照明光１４が出射されると、この落射照明光１４は、光軸Ｌ２に沿って進み、光学部材１５を通過し、ハーフミラー１６により下側に向きを変えられ、観察光軸Ｌ１上に沿って進行する。下方に向きを変えられた落射照明光１４は、レボルバ１７、対物レンズ１８を通って標本１９に照射される。この標本１９からの観察像２２は、再び対物レンズ１８、レボルバ１７、ハーフミラー１６を透過して鏡筒部２０に導かれ、接眼レンズ２１で拡大される。
【００２０】
顕微鏡本体１の外部には、光源装置２２が設けられている。この光源装置２２は、透過照明用の光源２３と、透過照明光２４の明るさを調節するための調光ツマミ２５とが設けられている。この光源装置２２には、光源２３から出射された光束を伝達するためのライトガイド２６が取付けられている。
【００２１】
図３は透過照明装置１０の一部断面図を示す。この透過照明装置１０は、ステージ１１と焦準台８との間に着脱可能なベース本体２７を有する。このベース本体２７は、例えば高さＴ１に形成されている。このベース本体２７には、互いに直交する各円筒孔２８、２９が設けられている。一方の円筒孔２８は、ベース本体２７の側面から中央部に向かって設けられ、他方の円筒孔２９は、ベース本体２７の中央部から上面に向かって設けられている。一方の円筒孔２８は、光軸Ｌ３に一致する。他方の円筒孔２９の位置は、透過照明装置１０をステージ１１と焦準台８との間に装着した場合、観察光軸Ｌ１に一致する。
【００２２】
ベース本体２７の側面には、開口孔３０が設けられている。この開口孔３０は、一方の円筒孔２８に連通し、かつ円筒孔２８の径よりも大きな径に形成されている。この開口孔３０の開口内壁には、取付段差３１が設けられている。この取付段差３１には、ライトガイド取付部３２が固定されている。
【００２３】
このライトガイド取付部３２は、ライトガイド２６をベース本体２７の側面に取り付ける。このライトガイド取付部３２内には、取付孔３３及び光路孔３４が連通して設けられている。取付孔３３内には、端面３５が設けられている。この取付孔３３内には、ライトガイド２６の出射端２６ａが挿入されている。このライトガイド２６の出射端２６ａの端面２６ｂは、取付孔３３内の端面３５に接触して位置決めされる。
【００２４】
ライトガイド取付部３２の側面には、図４に示すようにツマミ３６が捩じ込まれている。このツマミ３６は、ライトガイド取付部３２の側面に捩じ込むことによりツマミ３６の端面３６ａがライトガイド２６の側面２６ｃに当て付く。従って、ツマミ３６を捩じ込むとライトガイド２６がライトガイド取付部３２に固定され、ツマミ３６を緩めるとライトガイド２６がライトガイド取付部３２から取り外すことが可能になる。
【００２５】
開口孔３０内には、光学素子としての投光レンズ３７が設けられている。この投光レンズ３７は、ライトガイド２６の出射端２６ａの端面２６ｂの前方に設けられている。この投光レンズ３７は、ライトガイド２６の出射端２６ａの端面２６ｂから出射された光束を開口孔３０内に投光する。なお、ライトガイド２６の端面２６ｂが光束の出射源に相当する。ライトガイド２６の出射端２６ａ及び投光レンズ３７は、光軸Ｌ３上に設けられている。
【００２６】
ベース本体２７における観察光軸Ｌ１と光軸Ｌ３との交点上には、ミラー３８が設けられている。なお、観察光軸Ｌ１と光軸Ｌ３との交点は、一方の円筒孔２８と他方の円筒孔２９との交わるところでもある。このミラー３８は、投光レンズ３７により投光された光束を観察光軸Ｌ１に沿って向きを変える。
【００２７】
他方の円筒孔２９には、開口孔３９が設けられている。この開口孔３９には、ベース本体２７の上面２７ａよりも突出した円筒状部からなる照射部４０が設けられている。この照射部４０内には、集光レンズ４１が設けられている。この集光レンズ４１は、ミラー３８により向きを変えられた光束を透過照明光として標本１９に集光する。なお、ステージ１１には、開口孔４２が設けられている。この開口孔４２は、観察光軸Ｌ１に同軸である。従って、透過照明光は、開口孔４２内を通って標本１９を透過照明する。
【００２８】
次に、顕微鏡に透過照明装置１０を取り付けたときの透過照明について説明する。
【００２９】
光源装置２２の光源２３から光束が出射されると、この光束は、ライトガイド２６を通してライトガイド取付部３２内に導かれる。このライトガイド取付部３２内に導かれた光束は、ライトガイド２６の出射端２６ａから出射される。
【００３０】
この出射された光束は、光路孔３４から開口孔３０を通って投光レンズ３７に入射する。この投光レンズ３７に入射された光束は、投光レンズ３７によって観察光軸Ｌ１と光軸Ｌ３との交点に投光され、この交点上に設けられたミラー３８によって観察光軸Ｌ１上に沿って上向きに向きを変えられる。
【００３１】
この上向きに向きを変えられた光束は、集光レンズ４１によって透過照明光として標本１９に集光される。この標本１９に照射される透過照明光の明るさは、光源装置２２の調光ツマミ２５を操作することにより調整される。
【００３２】
次に、透過照明装置１０の着脱構造について説明する。
【００３３】
図５は焦準台８、透過照明装置１０及びステージ１１の分解構成図を示し、図６は焦準台８の上面図を示す。焦準台８の上面には、両側にそれぞれ凸状の各取付面５０、５１が設けられている。これにより、これら取付面５０、５１の間には、窪み５２が形成されている。しかるに、各取付面５０、５１と窪み５２との境界には、それぞれ各壁面５０ａ、５１ａが設けられている。各取付面５０、５１の間でかつライトガイド取付部３２を取り付ける側には、壁面５３が設けられている。各取付面５０、５１には、それぞれ各ネジ穴５４、５５が設けられている。
【００３４】
図７はステージ１１の上面図を示す。ステージ１１には、各ザグリ孔５６が設けられている。これらザグリ孔５６には、それぞれ各ボルト５７が挿入される。なお、ステージ１１の下面は、平面状の取付面５８となっている。
【００３５】
図８は透過照明装置１０の上面図を示す。透過照明装置１０の上面の取付面２７ａには、ザグリ孔５９及びネジ穴６０が設けられている。ザグリ孔５９は、ベース２７を貫通している。このザグリ孔５９内には、ボルト６１が挿入される。
【００３６】
透過照明装置１０の下面には、取付面２７ｂが設けられている。この取付面２７ｂには、下方に突出した凸部６２が設けられている。この凸部６２は、図４に示すように各壁面６２ａ、６２ｂ、６２ｃを有する。
【００３７】
次に、顕微鏡への透過照明装置１０の着脱作業について説明する。
【００３８】
透過照明装置１０及びステージ１１を取り付ける場合、図５に示すように焦準台８上に透過照明装置１０が設けられ、この透過照明装置１０上にステージ１１が設けられる。焦準台８上に透過照明装置１０を設ける場合、透過照明装置１０の下面の取付面２７ｂに設けられた凸部６２が焦準台８上の各壁面５０ａ、５１ａ、５３内に嵌め込められる。このとき、凸部６２における壁面６２ｃが焦準台８上の壁面５３に当接すると共に、同凸部６２における壁面６２ａが焦準台８上の壁面５０ａに当接し、同凸部６２における壁面６２ｂが焦準台８上の壁面５１ａに当接する。これにより、透過照明装置１０は、焦準台８上での装着位置が決定される。
【００３９】
この状態で、ボルト６１が透過照明装置１０のベース２７に貫通しているザグリ孔５９内に挿入される。このボルト６１は、透過照明装置１０のベース２７内を貫通し、焦準台８のネジ穴５４に捩じ込められる。これにより、透過照明装置１０は、焦準台８上に固定される。
【００４０】
透過照明装置１０上にステージ１１を設ける場合、ステージ１１は、下面の取付面５８を透過照明装置１０の上面の取付面２７ａに当て付ける。このとき、ステージ１１の開口孔４２内に透過照明装置１０の照射部４０を挿入する。この状態で、ボルト５７がステージ１１を貫通するザグリ孔５６内に挿入される。このボルト５７は、ステージ１１を貫通し、透過照明装置１０のネジ穴６８に捩じ込められる。これにより、ステージ１１は、透過照明装置１０上に固定される。
【００４１】
透過照明装置１０及びステージ１１を取り外す場合、先ず、ボルト５７を緩めることによりステージ１１が透過照明装置１０上から取り外される。次に、ボルト６１を緩めることにより透過照明装置１０が焦準台８上から取り外される。
【００４２】
次に、ステージ１１の高さ位置を可変する構成について説明する。
【００４３】
図９に示すように顕微鏡には、中間部材７０が備えられる。この中間部材７０は、焦準台８とステージ１１と間に設けられる。この中間部材７０は、例えば高さＴ２に形成されている。この中間部材７０は、標本１９に対する透過照明観察を行わず、落射照明観察時でのステージ１１の高さ位置を可変する。
【００４４】
中間部材７０の上面と下面とには、それぞれ各取付面７１、７２が設けられている。中間部材７０の下面の取付面７２には、下方に突出した凸部７３が設けられている。中間部材７０には、ネジ穴７４及びザグリ孔７５が設けられている。ザグリ孔７５には、ボルト７６が挿入される。
【００４５】
次に、標本１９に対する透過照明観察を行わず、落射照明観察を行うときのステージ１１の高さ位置の可変について説明する。
【００４６】
上記の通り各ボルト５７、６１を緩めることによって透過照明装置１０が焦準台８とステージ１１との間から取り外される。
【００４７】
中間部材７０及びステージ１１を取り付ける場合、焦準台８上に中間部材７０が設けられ、この中間部材７０上にステージ１１が設けられる。焦準台８上に中間部材７０を設ける場合、中間部材７０の下面に設けられた凸部７３が焦準台８上の各壁面５０ａ、５１ａ、５３内に嵌め込められる。これにより、中間部材７０は、焦準台８上での装着位置が決定される。
【００４８】
この状態で、ボルト７５が中間部材７０のザグリ孔７６内に挿入される。このボルト７５は、中間部材７０内を貫通し、焦準台８のネジ穴５４に捩じ込められる。これにより、中間部材７０は、焦準台８上に固定される。
【００４９】
中間部材７０上にステージ１１を設ける場合、ステージ１１は、下面の取付面５８を中間部材７０の上面の取付面７１に当て付ける。この状態で、ボルト５７がステージ１１のザグリ孔５６内に挿入され、中間部材７０のネジ穴７４に捩じ込められる。これにより、ステージ１１は、中間部材７０上に固定される。
【００５０】
この結果、ステージ１１は、中間部材７０の高さＴ２だけ高く設定される。この状態で、ステージ１１上に載置されている標本１９に対する落射照明観察が行われる。
【００５１】
次に、落射照明観察においてステージ１１の高さ位置を下げる場合について説明する。
【００５２】
各ボルト５７、７５を緩めることによって中間部材７０及びステージ１１が焦準台８上から取り外される。
【００５３】
次に、図１０に示すようにステージ１１が焦準台８上に直接置かれる。この状態で、ボルト５７がステージ１１のザグリ孔５６内に挿入され、このステージ１１を貫通し、焦準台８のネジ穴５５に捩じ込められる。これにより、ステージ１１は、焦準台８上に固定される。
【００５４】
この結果、ステージ１１の高さ位置は、中間部材７０を無くした高さＴ２だけ低く設定される。この状態で、ステージ１１上に載置されている標本１９に対する落射照明観察が行われる。
【００５５】
このように上記第１の実施の形態によれば、透過照明装置１０をステージ１１と焦準台８との間に着脱可能に設けた。これにより、透過照明観察を行う場合でも焦準ハンドル４を設ける位置の自由度を高くすることができ、操作上、最適な位置に焦準ハンドル４を配置できる。
【００５６】
例えば、この焦準ハンドルの位置は、操作を行うであろう想定されたオペレータの体格、顕微鏡本体の大きさ、アイポイント位置、ステージの操作ハンドル位置などを総合的に考慮して決定される。これにより、焦準ハンドルは、観察光軸とクロスする付近に配置されることもある。このように焦準ハンドル４が観察光軸Ｌ１とクロスする付近に設けられた場合でも、標本１９に透過照明光を照射して透過照明観察することができる。
【００５７】
顕微鏡本体１の本体枠２内部に透過照明装置１０を組み込まないので、透過照明専用の顕微鏡本体を別に用意することなく安価に透過照明が対応できる。
【００５８】
ライトガイド取付け部３２を観察光軸Ｌ１外に配置し、ライトガイド２６から出射された光束を透過照明装置１０の側面から導入し、ミラー３８によって観察光軸Ｌ１上に沿って偏向する構造にしたので、透過照明装置１０を薄型化できる。これにより、アイポイントの設定高さの自由度を大きくでき、エルゴノミックな高さ位置にアイポイントを配置し易くなる。
【００５９】
中間部材７０をステージ１１と焦準台８との間に着脱可能に設けたので、透過照明観察が不要な場合、透過照明装置１０を取り外し、ステージ１１を直接焦準台８上に取り付ける、又はステージ１１を中間部材７０を介在させて焦準台８上に取り付けることによってステージ１１の高さ位置を可変できる。これにより、透過照明観察が不要な場合でも透過照明観察時のアイポイント高さを維持したままの快適な状態で薄い標本１９から厚い標本１９まで幅広く落射照明観察ができる。
【００６０】
光源装置２２から出射された光束をライトガイド２６を通して透過照明装置１０に送るので、光源装置２２に発生する熱が透過照明装置１０、ステージ１１及び焦準台８に伝達しにくく、熱による性能低下の影響を受けにくい。
【００６１】
次に、本発明の第２の実施の形態について説明する。なお、図３と同一部分には同一符号を付してその詳しい説明は省略する。
【００６２】
図１１は顕微鏡における透過照明装置の一部断面図を示す。この透過照明装置８０は、ステージ１１と焦準台８との間に着脱可能なベース本体８１を有する。このベース本体８１のステージ１１と焦準台８との間に対する着脱構造は、上記第１の実施の形態の透過照明装置１０と同一構成であり、その詳しい説明は省略する。
【００６３】
ベース本体８１には、円筒孔８２が設けられている。この円筒孔８２は、ベース本体８１の側面から中央部に直線的に向かい、垂直に上方に折れ曲がって設けられている。この円筒孔８２の上方の開口部には、照射部４０が設けられ、この照射部４０に集光レンズ４１が設けられている。従って、透過照明装置８０がステージ１１と焦準台８との間に設けられた場合、円筒孔８２の上方の開口部が観察光軸Ｌ１と同軸上に配置される。
【００６４】
ベース本体８１の側面の円筒孔８２の開口部には、ライトガイド取付部８３が設けられている。このライトガイド取付部８３には、ライトガイド２６を取り付けるための取付孔８４が設けられている。ライトガイド取付部８３の側面には、図１２に示すようにライトガイド２６を固定するためのツマミ８５が設けられている。
【００６５】
ライトガイド２６の先端部には、ライトガイド出射端８６が設けられている。このライトガイド出射端８６は、先端部を上方に向かって垂直に折り曲げられてＬ形状に形成されている。このライトガイド２６の出射端面８７は、観察光軸Ｌ１上に一致させて設けられている。
【００６６】
次に、顕微鏡に透過照明装置８０を取り付けたときの透過照明について説明する。
【００６７】
光源装置２２の光源２３から光束が出射されると、この光束は、ライトガイド２６を通してライトガイド取付部８３内に導かれる。このライトガイド取付部８３内に導かれた光束は、ライトガイド出射端８６により導かれ、その出射端面８７から観察光軸Ｌ１上に出射される。この出射端面８７から出射された光束は、集光レンズ４１によって透過照明光として標本１９に集光される。
【００６８】
又、上記第１の実施の形態と同様に、中間部材７０をステージ１１と焦準台８との間に着脱可能である。透過照明観察が不要な場合、透過照明装置８０を取り外し、ステージ１１を直接焦準台８上に取り付ける、又はステージ１１を中間部材７０を介在させて焦準台８上に取り付けることによってステージ１１の高さ位置を可変できる。これにより、透過照明観察時のアイポイント高さを維持したままの快適な状態で薄い標本１９から厚い標本１９まで幅広く落射照明観察ができる。
【００６９】
このように上記第２の実施の形態によれば、Ｌ形状に形成されたライトガイド出射端８６を備えた透過照明装置８０をステージ１１と焦準台８との間に着脱可能に設けたので、上記第１の実施の形態と同様の効果を奏することができる。
【００７０】
次に、本発明の第３の実施の形態について説明する。なお、図３と同一部分には同一符号を付してその詳しい説明は省略する。
【００７１】
図１３は顕微鏡における透過照明装置の一部断面図を示し、図１４は同透過照明装置の底面図を示す。この透過照明装置９０は、ステージ１１と焦準台８との間に着脱可能なベース本体９２を有する。このベース本体９２内には、収納空間９１が形成されている。このベース本体９２内には、電気基板９３が設けられている。このベース本体９２の底面部側には、電気基板９３を覆うようにカバー９４が組み付けられている。
【００７２】
電気基板９３は、ベース本体９２内に各支柱９５、９６によって支持されている。この電気基板９３上には、光束を出射する出射源としての発光ダイオード（以下、ＬＥＤと称する）９７が直接実装されている。このＬＥＤ９７の実装位置は、観察光軸Ｌ１上である。
【００７３】
電気基板９３には、ＬＥＤ９７を点灯するための電装部が実装されている。すなわち、電気基板９３の一側面には、入力コネクタ９８が実装されている。この入力コネクタ９８は、図示しないＡＣ（交流）アダプタのケーブル９９が接続されている。これにより、電力がＡＣアダプタのケーブル９９を通してＬＥＤ９７に供給される。なお、このケーブル９９は、ベース本体９２の側面に設けられた孔１００を通してベース本体９２外に導出されている。
【００７４】
電気基板９３の他側面には、調光ボリューム１０１が実装されている。この調光ボリューム１０１は、ＬＥＤ９７から出射される光束の光量の調光を行う。この調光ボリューム１０１の軸１０２は、カバー９４に設けられた孔１０３を通してベース本体９２外に導出されている。この軸１０２には、操作ツマミ１０４が取り付けられている。
【００７５】
ベース本体９２の上面の開口部には、照射部４０が設けられ、この照射部４０に集光レンズ４１が設けられている。
【００７６】
次に、顕微鏡に透過照明装置９０を取り付けたときの透過照明について説明する。
【００７７】
電力がＡＣアダプタのケーブル９９から入力コネクタ９８を通して電気基板９３に供給されると、この電気基板９３上に実装されたＬＥＤ９７が点灯する。このＬＥＤ９７から出射された光束は、観察光軸Ｌ１上を上方に進行し、集光レンズ４１によって透過照明光として標本１９に集光される。
【００７８】
操作ツマミ１０４を操作して調光ボリューム１０１の軸１０２を回転させると、ＬＥＤ９７から出射される光束の光量が調光される。これにより、標本１９を透過照明するときの明るさが調整される。
【００７９】
又、上記第１の実施の形態と同様に、中間部材７０をステージ１１と焦準台８との間に着脱可能である。透過照明観察が不要な場合、透過照明装置９０を取り外し、ステージ１１を直接焦準台８上に取り付ける、又はステージ１１を中間部材７０を介在させて焦準台８上に取り付けることによってステージ１１の高さ位置を可変できる。これにより、透過照明観察時のアイポイント高さを維持したままの快適な状態で薄い標本１９から厚い標本１９まで幅広く落射照明観察ができる。
【００８０】
このように上記第３の実施の形態によれば、ＬＥＤ９７を実装した電気基板９３を収納する透過照明装置９０をステージ１１と焦準台８との間に着脱可能に設けたので、上記第１の実施の形態と同様の効果を奏することは言うまでもなく、ＬＥＤ９７及びこのＬＥＤ９７を点灯するための電装部を電気基板９３に実装したので、上記第１及び第２の実施の形態で用いた光源装置２２などを顕微鏡本体１の外部に別途用意する必要がなく、その分だけ安価にできる。
【００８１】
透過照明装置９０のベース本体８１内に直接ＬＥＤ９７を設けているので、透過照明装置９０は、上記第１の実施の形態の透過照明装置１０と同等以上に薄型化ができる。これにより、エルゴノミックな高さ位置にアイポイントを配置し易くなる。
【００８２】
ＬＥＤ９７は、照明用として広<一般的に使用している例えばハロゲンランプよりも省電力、高寿命であり、環境にもやさしい。
【００８３】
なお、上記第３の実施の形態では、ＬＥＤ９７を１個実装しているが、複数個実装してもよい。ＬＥＤ９７は、電気基板９３上に直接実装するタイプに限らず、独立して構成されたタイプを用いてもよい。ＬＥＤ９７から出射された光束を直接観察光軸Ｌ１上に進行させるのでなく、上記第１の実施の形態のようにミラー及びプリズムなどの各光学部材を使用してＬＥＤ９７から出射された光束を観察光軸Ｌ１上に導く構成にしてもよい。
【００８４】
次に、本発明の第４の実施の形態について説明する。なお、図１と同一部分には同一符号を付してその詳しい説明は省略する。
【００８５】
図１５は顕微鏡の構成図を示す。光源装置２２に取付けられたライトガイド２６の出射端１１０は、導入部１１１に取り付けられている。すなわち、この導入部１１１は、顕微鏡の本体枠２の背面に設けられた孔１１２内に嵌め込まれて固定されている。
【００８６】
この導入部１１１には、顕微鏡の本体枠２の外側となる側に第１の取付孔１１３が設けられると共に、顕微鏡の本体枠２の内側となる側に第２の取付孔１１４が設けられている。これら第１の取付孔１１３と第２の取付孔１１４とは、連通孔１１５を通して連通している。
【００８７】
第１の取付孔１１３内には、ライトガイド２６の出射端１１０が挿入されている。第１の取付孔１１３内には、端面１１３ａが設けられている。ライトガイド２６の出射端１１０の端面１１０ａは、第１の取付孔１１３内の端面１１３ａに接して位置決めされる。
【００８８】
導入部１１１の外周面には、ツマミ１１６が捩じ込まれている。このツマミ１１６は、捩じ込まれることによりその端面がライトガイド２６の出射端１１０の側面１１７に当て付くことによりライトガイド２６を固定する。このツマミ１１６は、緩めることによりライトガイド２６を第１の取付孔１１３内から取り外し可能にする。
【００８９】
第２の取付孔１１４内には、中継用ライドガイド１１８の入射端１１９が嵌め込まれている。第２の取付孔１１４内には、端面１１４ａが設けられている。中継用ライドガイド１１８の入射端１１９の端面は、第２の取付孔１１４内の端面１１４ａに接して位置決めされる。しかるに、中継用ライドガイド１１８の入射端１１９の端面とライトガイド２６の出射端１１０の端面１１０ａとは、互いに対向する。
【００９０】
中継用ライドガイド１１８は、一端側に入射端１１９が設けられると共に、他端側に出射端１２０が設けられている。この中継用ライドガイド１１８は、入射端１１９と出射端１２０との間をフレキシブルな蛇管１２１により連結されている。この中継用ライドガイド１１８は、本体枠２内に設けられた例えば落射照明用電源１２２及び焦準ハンドル軸３などの障害部を避けて出射端１２０を観察光軸Ｌ１上に配置されている。
【００９１】
本体枠２の内壁１２３には、支持部材１２４が設けられている。この支持部材１２４は、Ｌ字形状に形成され、その先端部を観察光軸Ｌ１上に設けている。この支持部材１２４の先端部には、孔１２５が設けられている。又、支持部材１２４の先端部には、保持部材１２６が観察光軸Ｌ１の方向に沿って立設されている。
【００９２】
この保持部材１２６は、円筒状の取付孔１２７が設けられ、かつ先端部には、開口孔１２８が設けられている。これら取付孔１２７と開口孔１２８とは、孔１２９を介して連通している。
【００９３】
取付孔１２７には、端面１２７ａが設けられている。この取付孔１２７内には、中継用ライドガイド１１８の出射端１２０が嵌め込められる。この中継用ライドガイド１１８の出射端１２０の端面は、取付孔１２７内の端面１２７ａに接して位置決め固定される。なお、中継用ライドガイド１１８の出射端１２０の端面が光束を出射する出射源になる。
【００９４】
開口孔１２８内には、光束を投光するためのレンズ１３０が組み込まれている。
【００９５】
中継用ライドガイド１１８の出射端１２０及びレンズ１３０は、観察光軸Ｌ１に対して同軸に設けられている。
【００９６】
焦準台８には、観察光軸Ｌ１と同軸の開口孔１３１が設けられている。この開口孔１３１内には、中継用ライドガイド１１８の出射端１２０を保持する保持部材１２６が挿入される。
【００９７】
焦準台８上には、照射部材１３２が着脱可能に設けられている。照射部材１３２には、照明光通過孔１３３が設けられている。この照明光通過孔１３３の位置は、開口孔１３１の一致し、観察光軸Ｌ１と同軸上である。
【００９８】
照射部材１３２の上面には、環状で凸状の照射部１３４が設けられ、この照射部１３４に集光レンズ４１が設けられている。
【００９９】
次に、顕微鏡における透過照明について説明する。
【０１００】
図１５に示すステージ１１は、焦準ハンドル４に対する操作によって上方に移動し、標本１９に対する焦点が合っている状態である。
【０１０１】
この状態で、光源装置２２から出射された光束は、ライトガイド２６を通って導入部１１１に導かれ、このライトガイド２６の出射端１１０から出射される。この出射された光束は、中継用ライトガイド１１８の入射端１１９に入射し、中継用ライトガイド１１８を通って出射端１２０から出射される。この中継用ライトガイド１１８の出射端１２０は、観察光軸Ｌ１に同軸に設けられているので、この中継用ライトガイド１１８の出射端１２０から出射された光束は、照明光通過孔１３３内を観察光軸Ｌ１に沿って進行し、集光レンズ４１によって所定の性能が得られた透過照明光として標本１９に集光される。これにより、標本１９は、所定の透過照明性能を満たすように透過照明される。
【０１０２】
図１６はステージ１１を最下位に下降させた状態を示す。この場合、照射部材１３２の底面と保持部材１２６の上面とは、接触することなく隙間が確保される。これと共に、焦準台８が最下位に下降したとしても、この焦準台８の下面と支持部材１２４の上面とは、接触することなく隙間が確保される。従って、ステージ１１を下降させて最下位に退避させても、照射部材１３２と保持部材１２６とは接触せず、かつ焦準台８と支持部材１２４とも接触しない。
【０１０３】
標本１９に照射される透過照明光の明るさは、光源装置２２の調光ツマミ２５を操作することにより調整される。
【０１０４】
照射部材１３２は、ステージ１１と焦準台８との間に着脱可能である。従って、照射部材１３２をステージ１１と焦準台８との間に取り付ける、又は取り外すことによってステージ１１の高さ位置が可変される。これにより、透過照明観察時のアイポイント高さを維持したままの快適な状態で薄い標本１９から厚い標本１９まで幅広く落射照明観察ができる。
【０１０５】
このように上記第４の実施の形態によれば、顕微鏡本体１の本体枠２内に中継用ライドガイド１２１を設け、この中継用ライドガイド１２１の出射端１２０を保持部材１２６及び支持部材１２４によって観察光軸Ｌ１と同軸に設けたので、上記第１の実施の形態と同様に、透過照明観察を行う場合でも焦準ハンドル４を設ける位置の自由度を高くすることができ、操作上、最適な位置に焦準ハンドル４を配置できる。これにより、焦準ハンドルは、観察光軸とクロスする付近に配置されることもあるが、焦準ハンドル４が観察光軸Ｌ１とクロスする付近に設けられた場合でも、標本１９に透過照明光を照射して透過照明観察することができる。
【０１０６】
照射部材１３２は、ステージ１１と焦準台８との間に着脱可能でるので、透過照明観察時のアイポイント高さを維持したままの快適な状態で薄い標本１９から厚い標本１９まで幅広く落射照明で観察することができる。
【０１０７】
光源装置２２からの光束を導入するための導入部１１１を本体枠２の外周側に設けたので、焦準ハンドル４及びステージ１１の操作ハンドルの周辺付近に充分広いスペースを確保することができ、快適な操作環境が得られる。
【０１０８】
なお、上記第４の実施の形態では、中継用ライトガイド１１８の保持部材１２６側にレンズ１３０を設けているが、このレンズ１３０は、照射部材１３２の照明光通過穴１３３内に設けてもよい。
【図面の簡単な説明】
【０１０９】
【図１】本発明に係る顕微鏡の第１の実施の形態を示す構成図。
【図２】同顕微鏡の一部正面図。
【図３】同顕微鏡に用いる透過照明装置の一部断面図。
【図４】同顕微鏡に用いる透過照明装置の側面図。
【図５】同顕微鏡における焦準台、透過照明装置及びステージの構成図。
【図６】同顕微鏡における焦準台の上面図。
【図７】同顕微鏡におけるステージの上面図。
【図８】同顕微鏡における透過照明装置の上面図。
【図９】同顕微鏡における中間部材の取り付け構造を示す図。
【図１０】同顕微鏡における焦準台上へのステージの取り付けを示す図。
【図１１】本発明に係る顕微鏡の第２の実施の形態における透過照明装置の一部断面図。
【図１２】同顕微鏡に用いる透過照明装置の側面図。
【図１３】本発明に係る顕微鏡の第３の実施の形態における透過照明装置の一部断面図。
【図１４】同透過照明装置の底面図。
【図１５】本発明に係る顕微鏡の第４の実施の形態を示す構成図。
【図１６】同顕微鏡のステージを最下位に下降させた状態を示す図。
【符号の説明】
【０１１０】
１：顕微鏡本体、２：本体枠、３：焦準ハンドル軸、４：焦準ハンドル、５：枠、６：ピニオン、７：ラック、８：焦準台、９：ガイド、１０：透過照明装置、１１：ステージ、１２：落射投光装置、１３：光源、１４：落射照明光、１５：光学部材、１６：ハーフミラー、１７：レボルバ、１８：対物レンズ、１９：標本、２０：鏡筒部、２１：接眼レンズ、２２：光源装置、２３：光源、２４：透過照明光、２５：調光ツマミ、２６：ライトガイド、２７：ベース本体、２８，２９：円筒孔、３０：開口孔、３１：取付段差、３２：ライトガイド取付部、３３：取付孔、３４：光路孔、３５：端面、２６ａ：ライトガイドの出射端、２６ｂ：ライトガイドの端面、３６：ツマミ、３６ａ：ツマミの端面、２６ｃ：ライトガイドの側面、３７：投光レンズ、３８：ミラー、３９：開口孔、４０：照射部、４１：集光レンズ、４２：開口孔、５０，５１：取付面、５２：窪み、５０ａ，５１ａ，５３：壁面、５４，５５：ネジ穴、５６：ザグリ孔、５７：ボルト、５８：取付面、５９：ザグリ孔、６０：ネジ穴、６１：ボルト、６２：凸部、６２ａ，６２ｂ，６２ｃ：壁面、７０：中間部材、７１，７２：中間部材の取付面、７３：凸部、７４：ネジ穴、７５：ザグリ孔、７６：ボルト、８０：透過照明装置、８１：ベース本体、８２：円筒孔、８３：ライトガイド取付部、８４：取付孔、８５：ツマミ、８６：ライトガイド出射端、８６：ライトガイド出射端、８７：ライトガイドの出射端面、９０：透過照明装置、９１：収納空間、９２：ベース本体、９３：電気基板、９４：カバー、９５，９６：支柱、９７：発光ダイオード（ＬＥＤ）、９８：入力コネクタ、９９：ケーブル、１００：孔、１０１：調光ボリューム、１０２：調光ボリュームの軸、１０３：孔、１０４：操作ツマミ、１１０：ライトガイドの出射端、１１１：導入部、１１２：孔、１１３：第１の取付孔、１１４：第２の取付孔、１１５：連通孔、１１３：第１の取付孔の端面、１１０ａ：ライトガイドの端面、１１３ａ：第１の取付孔の端面、１１６：ツマミ、１１７：ライトガイドの側面、１１８：中継用ライドガイド、１１９：中継用ライドガイドの入射端、１２０：中継用ライドガイドの出射端、１２１：蛇管、１２２：落射照明用電源、１２３：本体枠の内壁、１２４：支持部材、１２５：孔、１２６：保持部材、１２７：取付孔、１２８：開口孔、１２９：孔、１３０：レンズ、１３１：開口孔、１３２：照射部材、１３３：照明光通過孔、１３４：照射部。
【図１】
2006189578.tif 000003
【図２】
2006189578.tif 000004
【図３】
2006189578.tif 000005
【図４】
2006189578.tif 000006
【図５】
2006189578.tif 000007
【図６】
2006189578.tif 000008
【図７】
2006189578.tif 000009
【図８】
2006189578.tif 000010
【図９】
2006189578.tif 000011
【図１０】
2006189578.tif 000012
【図１１】
2006189578.tif 000013
【図１２】
2006189578.tif 000014
【図１３】
2006189578.tif 000015
【図１４】
2006189578.tif 000016
【図１５】
2006189578.tif 000017
【図１６】
2006189578.tif 000018